(57)【要約】  【課題】本発明は、ファクシミリ受信した画像データのネットワーク転送に際し、転送先におけるファイルの出所や内容の把握を容易とするとともに、ユーザニーズに応じてそのファイルタイプ等を適宜設定することが可能なファクシミリ装置の提供を目的とする。  【解決手段】本発明に係るディジタル複合機１は、画像データのファクシミリ通信を行うファクシミリ通信部１０５と；受信画像データを電子ファイル形式に変換するファイル変換部１１１と；変換された電子ファイルをネットワーク転送するネットワーク通信部１０６と；受信画像データの発信者情報を取得する発信者情報取得部１１２と；発信者情報と電子ファイルのファイル名及びファイルタイプ等とを関連付けたファイル変換情報を格納するファイル変換情報格納部１１３と；を有して成り、ファイル変換部１１１は、発信者情報とファイル変換情報に基づいて、受信画像データのファイル変換を行う。【選択図】      図１
2006042259.tif 000002
【特許請求の範囲】
【請求項１】
公衆回線を介して画像データのファクシミリ通信を行うファクシミリ通信手段と；ファクシミリ受信された受信画像データを電子ファイル形式に変換するファイル変換手段と；変換された電子ファイルを端末装置に転送する端末通信手段と；前記受信画像データの発信者情報を取得する発信者情報取得手段と；前記発信者情報と前記電子ファイルのファイル名、ファイルタイプ、画像サイズ、画像品質、画像色数の少なくとも一とを関連付けたファイル変換情報を格納するファイル変換情報格納手段と；を有して成り、前記ファイル変換手段は、前記発信者情報と前記ファイル変換情報に基づいて、前記受信画像データを電子ファイル形式に変換することを特徴とするファクシミリ装置。
【請求項２】
公衆回線を介して画像データのファクシミリ通信を行うファクシミリ通信手段と；ファクシミリ受信された受信画像データを電子ファイル形式に変換するファイル変換手段と；変換された電子ファイルを端末装置に転送する端末通信手段と；個別の宛先情報が割り当てられた記憶ボックスを複数備えた記憶手段と；前記宛先情報に応じて受信画像データを前記記憶ボックスに分別格納する受信制御手段と；前記宛先情報と前記電子ファイルのファイル名、ファイルタイプ、画像サイズ、画像品質、画像色数の少なくとも一とを関連付けたファイル変換情報を格納するファイル変換情報格納手段と；を有して成り、前記ファイル変換手段は、前記宛先情報と前記ファイル変換情報に基づいて、前記受信画像データを電子ファイル形式に変換することを特徴とするファクシミリ装置。
【発明の詳細な説明】
【技術分野】
【０００１】
本発明は、ファクシミリ受信した画像データのネットワーク転送機能を備えたファクシミリ装置（ファクシミリ機能を備えたディジタル複合機を含む）に関するものである。
【背景技術】
【０００２】
近年、通信回線（社内ＬＡＮ［Local Area Network］など）への接続機能を具備し、複数の端末装置（パーソナルコンピュータなど）による共有が可能なプリンタやファクシミリ、スキャナなどが普及し始めている。また、これらの機能を併せ持つディジタル複合機も開発されている。
【０００３】
このようなネットワーク対応機器には、上記した複数端末による共有機能以外にも、通信回線を介した多種多様な機能が設けられている。例えば、従来より、ファクシミリ受信した画像データを電子ファイル形式に変換してネットワーク転送する機能を備えたファクシミリ装置が開示・提案されている（例えば、特許文献１を参照）。また、従来より、ファクシミリ番号等から送信元情報を識別し、ファクシミリ受信した画像データと送信元情報とを対応付けて格納する技術も開示・記載されている（例えば、特許文献２を参照）。
【特許文献１】特開平９−２７５４６６号公報
【特許文献２】特開２００２−６４６８９号公報
【発明の開示】
【発明が解決しようとする課題】
【０００４】
確かに、ファクシミリ受信した画像データのネットワーク転送機能を備えたファクシミリ装置であれば、転送先の情報処理装置（パーソナルコンピュータなど）にて、画像データを適宜閲覧・加工等することができるので、ユーザにとって非常に使い勝手がよい。
【０００５】
しかしながら、上記従来のファクシミリ装置では、情報処理装置に転送しようとする画像データのファイル変換に際し、そのファイル名としては、ファイルを各個に区別できさえすればよいという観点の下、当該画像データの発信者番号や受信日時にシリアル番号等を付した符号列（「xx-yyyy-zzzz-01.bmp」や「2004-mm-dd-01.bmp」など）が、ユーザの意図に依らず、一律に自動付与されていた。そのため、転送されてきた電子ファイルの出所や内容をそのファイル名から判別することは極めて困難であり、電子ファイルが複数転送されてきた場合、ユーザは、その中から必要なファイルを見つけるために、一つずつ電子ファイルを展開しなければならない、という課題があった。
【０００６】
また、上記従来のファクシミリ装置では、情報処理装置に転送しようとする画像データのファイル変換に際し、そのファイルタイプ（ｂｍｐ、ｊｐｇ、ｐｄｆ形式など）についても、ユーザの意図に依らず、一律に自動設定されていた。そのため、上記従来のファクシミリ装置では、ユーザニーズに応じて、画像データ毎に電子ファイルのファイルタイプ等を適宜設定することができない、という課題があった。なお、特許文献１に記載のファクシミリ装置では、転送先の情報処理装置に応じて、電子ファイルのファイルタイプを適宜自動設定する技術が開示・提案されているが、当該技術は、あくまで、情報処理装置個々の能力に応じて適切なファイルタイプを設定する技術に過ぎず、上記課題を解決するものではなかった。
【０００７】
本発明は、上記の問題点に鑑み、ファクシミリ受信した画像データのネットワーク転送に際し、転送先の情報処理装置における電子ファイルの出所や内容の把握を容易とすることが可能なファクシミリ装置を提供することを第１の目的としている。
【０００８】
また、本発明は、上記の問題点に鑑み、ファクシミリ受信した画像データのネットワーク転送に際し、ユーザニーズに応じて、画像データ毎に電子ファイルのファイルタイプ等を適宜設定することが可能なファクシミリ装置を提供することを第２の目的としている。
【課題を解決するための手段】
【０００９】
上記目的を達成すべく、本発明に係るファクシミリ装置は、公衆回線を介して画像データのファクシミリ通信を行うファクシミリ通信手段と；ファクシミリ受信された受信画像データを電子ファイル形式に変換するファイル変換手段と；変換された電子ファイルを端末装置に転送する端末通信手段と；前記受信画像データの発信者情報を取得する発信者情報取得手段と；前記発信者情報と前記電子ファイルのファイル名、ファイルタイプ、画像サイズ、画像品質、画像色数の少なくとも一とを関連付けたファイル変換情報を格納するファイル変換情報格納手段と；を有して成り、前記ファイル変換手段は、前記発信者情報と前記ファイル変換情報に基づいて、前記受信画像データを電子ファイル形式に変換する構成としている。
【００１０】
或いは、上記目的を達成すべく、本発明に係るファクシミリ装置は、公衆回線を介して画像データのファクシミリ通信を行うファクシミリ通信手段と；ファクシミリ受信された受信画像データを電子ファイル形式に変換するファイル変換手段と；変換された電子ファイルを端末装置に転送する端末通信手段と；個別の宛先情報が割り当てられた記憶ボックスを複数備えた記憶手段と；前記宛先情報に応じて受信画像データを前記記憶ボックスに分別格納する受信制御手段と；前記宛先情報と前記電子ファイルのファイル名、ファイルタイプ、画像サイズ、画像品質、画像色数の少なくとも一とを関連付けたファイル変換情報を格納するファイル変換情報格納手段と；を有して成り、前記ファイル変換手段は、前記宛先情報と前記ファイル変換情報に基づいて、前記受信画像データを電子ファイル形式に変換する構成としてもよい。
【発明の効果】
【００１１】
本発明に係るファクシミリ装置であれば、ファクシミリ受信した画像データのネットワーク転送に際し、転送先の情報処理装置におけるファイルの出所や内容の把握を容易とすることが可能となる。また、ユーザニーズに応じて、画像データ毎に電子ファイルのファイルタイプ等を適宜設定することも可能となる。
【発明を実施するための最良の形態】
【００１２】
以下では、複写機、プリンタ、スキャナ、及びファクシミリとしての機能を併せ持つネットワーク対応のディジタル複合機に本発明を適用した場合を例に挙げて説明を行う。
【００１３】
図１は本発明に係るディジタル複合機の一実施形態を示すブロック図である。本図に示すように、本実施形態のディジタル複合機１は、全体制御部１０１と、表示部１０２と、操作部１０３と、原稿取込部１０４と、ファクシミリ通信部１０５と、ネットワーク通信部１０６と、メモリ部１０７と、受信データ分別制御部１０８と、画像形成部１０９と、定着部１１０と、ファイル変換部１１１と、発信者情報取得部１１２と、ファイル変換情報格納部１１３と、を有して成る。なお、本図には示していないが、本実施形態のディジタル複合機１は、上記構成要素のほか、画像形成動作に必要な用紙収納部や用紙搬送部などを当然に有して成る。
【００１４】
全体制御部１０１は、中央演算処理装置（ＣＰＵ［Central Processing Unit］）などで構成されており、装置全体の動作制御を行う。表示部１０２は、液晶ディスプレイパネルなどで構成されており、種々の情報を表示する。操作部１０３は、テンキーやタッチパネルなどで構成されており、ユーザの操作を受け付ける。原稿取込部１０４は、スキャナなどで構成されており、原稿を取り込んで画像データを生成する。
【００１５】
ファクシミリ通信部１０５は、画像データとファクシミリ信号の相互変換を行うモデム部や、公衆電話回線Ｘとの接続を確立する網制御部（ＮＣＵ［Network Control Unit］）などで構成されており、公衆電話回線Ｘを介して接続された他のファクシミリ装置との間で、ファクシミリ通信を行う。なお、本実施形態のファクシミリ通信部１０５は、受信画像データとともに、該受信画像データの発信者を示す発信者情報（発信者のファクシミリ番号、或いは、自社機間であれば発信者名称など）や、後述する記憶ボックスＢ１〜Ｂｎを指定するための宛先情報（本実施形態では、Ｆコード受信形式による親展ボックス番号「１」〜「ｎ」）も受信するように構成されている。
【００１６】
ネットワーク通信部１０６は、ネットワークＹ（社内ＬＡＮ［Local Area Network］など）を介して接続された情報処理装置とのインタフェイス機能を実現する手段であり、ネットワーク通信部１０６としては、イーサネット（登録商標）規格のネットワークＩ／Ｆカード等を用いることができる。また、単一のホスト機器を接続する場合であれば、ネットワーク通信部１０６として、ＵＳＢ［Universal Serial Bus］等を用いることも可能である。なお、上記の情報処理装置は、ネットワーク通信部１０６を介して、ディジタル複合機１に対する画像形成ジョブの送信を行ったり、ディジタル複合機１でスキャニングされた画像データの受信を行うものである。また、上記の情報処理装置は、ファクシミリ受信された受信画像データの転送先にもなる。従って、ネットワーク通信部１０６は、電子ファイル形式に変換された受信画像データのネットワーク転送手段であるということができる。なお、電子ファイルの転送先情報としては、情報処理装置のＩＰアドレスを予め登録しておけばよい。
【００１７】
メモリ部１０７は、ＲＯＭ［Read Only Memory］やＲＡＭ［Random Access Memory］等で構成されており、ファクシミリ受信された受信画像データの一時記憶手段として用いられるほか、制御プログラムの格納領域や、原稿取込部１０４及びネットワーク通信部１０６から入力される画像データの展開領域としても用いられる。また、本実施形態のメモリ部１０７は、後述する受信画像データの分別格納機能を実現すべく、個別の宛先情報（本実施形態では、Ｆコード受信方式による親展ボックス番号「１」〜「ｎ」）が割り当てられた記憶ボックスＢ１〜Ｂｎ（以下では、適宜、親展ボックスＢ１〜Ｂｎと呼ぶ）を備えている。また、本実施形態のメモリ部１０７は、親展ボックス番号が指定されていない受信画像データの格納領域となる記憶ボックスＢｘ（すなわち、その宛先情報として「親展ボックス番号なし」が割り当てられた非親展ボックスＢｘ）も備えている。なお、メモリ部１０７に対するアクセス速度より、その容量削減を優先すべき場合には、画像データを圧縮して格納し、逐次伸長しながら読み出す構成とすればよい。
【００１８】
受信データ分別制御部１０８は、ファクシミリ受信した受信画像データを前記宛先情報に応じて各記憶ボックスＢ１〜Ｂｎ、Ｂｘに分別格納する機能（いわゆる親展機能）を備えている。なお、このような親展機能は、受信側のファクシミリ装置を複数ユーザで共用している場合等において、各ユーザ宛ての受信画像データを分別する目的で利用される。
【００１９】
画像形成部１０９は、プリンタヘッドや感光ドラムなどで構成されており、メモリ部１０７から読み出された画像データに基づいて用紙上に画像を形成する。定着部１１０は、画像形成部１０９で得られた画像に熱を加えて定着させる。
【００２０】
ファイル変換部１１１は、ファクシミリ受信された受信画像データの発信者情報或いは宛先情報と後述するファイル変換情報に基づいて、その受信画像データを電子ファイル形式に変換する。このようなファイル変換処理を行うことにより、ファクシミリ受信された受信画像データをネットワーク経由で情報処理装置に転送することが可能となる。
【００２１】
発信者情報取得部１１２は、上記した受信画像データの発信者情報（発信者のファクシミリ番号、或いは、自社機間であれば発信者名称など）を取得する手段である。
【００２２】
ファイル変換情報格納部１１３は、ファクシミリ受信された受信画像データを電子ファイル形式へ変換する際にファイル変換部１１１で参照されるファイル変換情報を格納する手段である。図２は、ファイル変換情報の一例を示すデータテーブルである。本図に示すように、本実施形態のディジタル複合機１では、ファイル変換情報として、受信画像データの発信者情報及び宛先情報（親展ボックス番号）と、ファイル変換部１１１で生成される電子ファイルのファイル名（付帯シリアル番号を除いた基幹部分となるベース名）、ファイルタイプ、画像サイズ、画像品質、及び、画像色数が関連付けて格納されている。なお、本実施形態のディジタル複合機１において、上記ファイル変換情報の内容は、図２の状態で固定設定されているのではなく、任意に登録、変更、削除等を行うことが可能とされている。このような構成とすることにより、ユーザニーズに応じてフレキシブルな運用を行うことが可能となる。
【００２３】
以下では、図２に示すファイル変換情報が設定されている場合を例に挙げ、受信画像データのファイル変換処理がどのように進められるかを詳細に説明する。
【００２４】
まず、ファクシミリ受信に際し、その発信者情報として「xx-yyyy-0123」が取得され、かつ、親展ボックス番号が何ら指定されていなかった場合の処理について説明する。この場合、ファクシミリ受信された受信画像データは、上記のファイル変換情報に基づいて、ｐｄｆ［Portable Document Format］形式の電子ファイルに変換され、そのファイル名として、「京セラミタ01.pdf」といった符号列が付与される。このように、受信画像データの発信者情報に対応付けて相手方の名称である「京セラミタ」をファイル名とする設定であれば、転送先における電子ファイルの出所把握を容易とすることが可能となる。なお、上記のようにファイル形式をｐｄｆ形式とする設定は、例えば、当該受信画像データに加工を施すことがなく、電子ファイルの利用目的が専らその閲覧や印刷である場合に好適な設定であると言える。
【００２５】
次に、ファクシミリ受信に際し、その発信者情報として「xx-yyyy-3456」が取得され、かつ、親展ボックス番号が何ら指定されていなかった場合の処理について説明する。この場合、ファクシミリ受信された受信画像データは、上記のファイル変換情報に基づいて、ｔｉｆｆ［Tagged Image File Format］形式の電子ファイルに変換され、そのファイル名として、「請求書01.pdf」といった符号列が付与される。このように、受信画像データの発信者情報に対応付けてその内容である「請求書」をファイル名とする設定であれば、転送先における電子ファイルの内容把握を容易とすることが可能となる。なお、上記のようにファイル形式をｔｉｆｆ形式とする設定は、例えば、当該受信画像データに後ほど加工を施す必要があり得る場合に好適な設定であると言える。また、画像サイズを６４０×４８０［pixel］とし、その画像色数をモノクロとする設定については、例えば、当該受信画像データの内容が請求書などの文書原稿である場合に好適な設定であると言える。
【００２６】
次に、ファクシミリ受信に際し、その発信者情報として「xx-yyyy-6789」が取得され、かつ、親展ボックス番号が何ら指定されていなかった場合の処理について説明する。この場合、ファクシミリ受信された受信画像データは、上記のファイル変換情報に基づいて、ｊｐｇ［Joint Photographic coding experts Group］形式の電子ファイルに変換され、そのファイル名として、「写真01.jpg」といった符号列が付与される。このように、受信画像データの発信者情報に対応付けてその内容である「写真」をファイル名とする設定であれば、転送先における電子ファイルの内容把握を容易とすることが可能となる。なお、上記のように、ファイル形式をｊｐｇ形式、画像サイズを１０２４×７６８［pixel］、画像品質を低圧縮モード、画像色数をＴｒｕｅカラー（３２ｂｉｔ階調）とする設定については、例えば、当該受信画像データの内容が写真などの高精細カラー画像であって、その忠実な表示出力或いは印刷出力が必要とされる場合に好適な設定であると言える。
【００２７】
次に、ファクシミリ受信に際し、その発信者情報が未登録或いは非通知であり、かつ、親展ボックス番号が何ら指定されていなかった場合の処理について説明する。この場合、ファクシミリ受信された受信画像データは、上記のファイル変換情報に基づいて、ｂｍｐ［BitMaP］形式の電子ファイルに変換され、そのファイル名として、「yymmdd（日付）-01.bmp」といった符号列が付与される。このように、現在の日付等をファイル名とする設定であれば、受信画像データの発信者情報に対応付けができない場合であっても、転送先における電子ファイルを時系列的に整理することが可能となる。なお、上記のように、ファイル形式をｂｍｐ形式とする設定は、例えば、電子ファイルの利用目的が不明である場合など、最も一般的なファイル形式としておくべき場合に好適な設定であると言える。
【００２８】
次に、ファクシミリ受信に際し、親展ボックス番号「１」が指定されていた場合の処理について説明する。この場合、ファクシミリ受信された受信画像データは、その発信者情報に依ることなく、上記のファイル変換情報に基づいて、ｊｐｇ形式の電子ファイルに変換され、そのファイル名として、「親展01.jpg」といった符号列が付与される。このように、受信画像データの宛先情報（親展ボックス番号）が指定されている場合に「親展」をファイル名とする設定であれば、転送先においても当該電子ファイルが親展通信されたものであることを容易に把握することが可能となる。なお、上記のように、ファイル形式をｊｐｇ形式、画像サイズを８００×６００［pixel］、画像品質を高圧縮モード、画像色数をＨｉカラー（１６ｂｉｔ階調）とする設定については、例えば、当該受信画像データの内容がカタログなどのカラー原稿であって、ある程度精細な表示出力或いは印刷出力が必要とされる場合に好適な設定であると言える。
【００２９】
また、上記のように、受信画像データの宛先情報（親展ボックス番号）に応じてファイル変換処理を行う構成であれば、発信者情報に依ることなく、ファイル変換処理の内容を設定することができるので、発信者情報が多数である場合にもユーザに煩雑な設定作業を強いることがない上、発信者側で発信者情報が変更された場合であっても、そのファイル変換処理に誤りが生じることを回避することができる。また、上記ファイル変換情報を縮小し、メモリ容量の低減を図ることも可能となる。
【００３０】
上記した通り、本実施形態のディジタル複合機１は、ファクシミリ受信された受信画像データの発信者情報或いは宛先情報とファイル変換情報に基づいて、その受信画像データを電子ファイル形式に変換し、変換された電子ファイルを情報処理装置に転送する構成とされている。このような構成とすることにより、受信画像データのネットワーク転送に際し、転送先の情報処理装置におけるファイルの出所や内容の把握を容易とすることが可能となる。また、ユーザニーズに応じて、画像データ毎に電子ファイルのファイルタイプ等を適宜設定することも可能となる。
【００３１】
なお、上記の実施形態では、本発明をディジタル複合機に適用した場合を例示して説明を行ったが、本発明の適用対象はこれに限定されるものではなく、ファクシミリ受信した画像データのネットワーク転送機能を備えたファクシミリ装置全般に広く適用することが可能である。
【００３２】
また、上記の実施形態では、受信データを分別格納する記憶ボックスとして、個別の親展ボックス番号が割り当てられた親展ボックスを利用した構成を例に挙げて説明を行ったが、本発明の構成はこれに限定されるものではなく、複数のファクシミリ番号を備えたファクシミリ装置であって、各ファクシミリ番号が個別に割り当てられた記憶ボックスを利用した構成にも広く適用することが可能である。
【００３３】
また、本発明の構成は、上記実施形態のほか、発明の主旨を逸脱しない範囲で種々の変更を加えることが可能である。
【産業上の利用可能性】
【００３４】
本発明は、ファクシミリ装置のユーザビリティ向上を図るための有用な技術であり、特に、ファクシミリ受信した画像データのネットワーク転送機能を備えたファクシミリ装置に好適な技術である。
【図面の簡単な説明】
【００３５】
【図１】は、本発明に係るディジタル複合機の一実施形態を示すブロック図である。
【図２】は、ファイル変換情報の一例を示すデータテーブルである。
【符号の説明】
【００３６】
１    ディジタル複合機
１０１    全体制御部
１０２    表示部
１０３    操作部
１０４    原稿取込部
１０５    ファクシミリ通信部
１０６    ネットワーク通信部
１０７    メモリ部
１０８    受信データ分別制御部
１０９    画像形成部
１１０    定着部
１１１    ファイル変換部
１１２    発信者情報取得部
１１３    ファイル変換情報格納部
Ｘ    公衆電話回線
Ｙ    ネットワーク（社内ＬＡＮなど）
Ｂ１〜Ｂｎ、Ｂｘ    記憶ボックス（親展ボックス、非親展ボックス）
【図１】
2006042259.tif 000003
【図２】
2006042259.tif 000004